(57)【要約】【課題】主映像機器に副映像機器が接続された場合において、各映像機器ごとのリモート・コントロール装置の使い分けによる煩雑さを解決し、また、指向性を意識せずに遠隔操作を行えるようにする。【解決手段】第１のコード照合部１２にて、リモート・コントロール装置３００でテレビ受像機１００を遠隔操作するためのリモコンコードと、第１のコード受信部１０で受信したリモコンコードとが一致するか否かを照合し、一致しない場合は、第１のコード受信部１０で受信したリモコンコードをマイクロプロセッサ１１の制御により、映像信号に含まれる垂直帰線消去期間に重畳し、ＤＶＤレコーダ２００に転送し、転送された映像信号に重畳されているリモコンコードを第２のコード照合部２２にて照合し、一致する結果が得られたリモコンコードに係るリモート・コントロール・コマンドを第２のコマンド実行部２３にて実行する。【選択図】図２
2008244578.tif 000002
【特許請求の範囲】
【請求項１】
テレビ受像機と、
前記テレビ受像機に接続されたＳＴＢ（Set  Top Box）と、
前記テレビ受像機または前記ＳＴＢを遠隔操作するためのリモート・コントロール装置と、
を具備したリモート・コントロール・システムであって、
前記テレビ受像機は、前記リモート・コントロール装置から送信されるリモコンコードを受信するための第１のコード受信部と、前記リモート・コントロール装置で前記テレビ受像機を遠隔操作するためのリモコンコードと前記第１のコード受信部で受信したリモコンコードとが一致するか否かを照合する第１のコード照合部と、映像信号を送受信するための第１の映像信号送受信部とを備え、
前記ＳＴＢは、前記リモート・コントロール装置から送信されるリモコンコードを受信するための第２のコード受信部と、前記リモート・コントロール装置で前記ＳＴＢを遠隔操作するためのリモコンコードと前記第２のコード受信部で受信したリモコンコードとが一致するか否かを照合する第２のコード照合部と、映像信号を送受信するための第２の映像信号送受信部とを備え、
前記リモート・コントロール装置は、前記テレビ受像機または前記ＳＴＢを遠隔操作するためのリモコンコードの送信を行うコード送信部と、前記コード送信部からリモコンコードを送信するために必要な操作を行う操作部とを備え、
前記テレビ受像機は、前記第１のコード受信部で受信したリモコンコードと前記テレビ受像機を遠隔操作するためのリモコンコードとが、前記第１のコード照合部にて一致しない場合に、前記第１のコード受信部で受信したリモコンコードを映像信号に重畳し、前記第１の映像信号送受信部より前記ＳＴＢへ転送し、前記ＳＴＢは、前記テレビ受像機から転送され、前記第２の映像信号送受信部で受信した映像信号に重畳されているリモコンコードに基づいて所定の動作を実行し、
前記ＳＴＢは、前記第２のコード受信部で受信したリモコンコードと前記ＳＴＢを遠隔操作するためのリモコンコードとが、前記第２のコード照合部にて一致しない場合に、前記第２のコード受信部で受信したリモコンコードを映像信号に重畳し、前記第２の映像信号送受信部より前記テレビ受像機へ転送し、前記テレビ受像機は、前記ＳＴＢから転送され、前記第１の映像信号送受信部で受信した映像信号に重畳されているリモコンコードに基づいて所定の動作を実行することを特徴とするリモート・コントロール・システム。
【請求項２】
第１の映像機器と、
前記第１の映像機器に接続された第２の映像機器と、
前記第１の映像機器または第２の映像機器を遠隔操作するためのリモート・コントロール装置と、
を具備したリモート・コントロール・システムであって、
前記第１の映像機器は、前記リモート・コントロール装置から送信されるリモコンコードを受信するためのコード受信部と、前記リモート・コントロール装置で前記第１の映像機器を遠隔操作するためのリモコンコードと前記コード受信部で受信したリモコンコードとが一致するか否かを照合するコード照合部とを備え、
前記リモート・コントロール装置は、前記第１または第２の映像機器を遠隔操作するためのリモコンコードの送信を行うコード送信部と、前記コード送信部からリモコンコードを送信するために必要な操作を行う操作部とを備え、
前記第１の映像機器は、前記コード受信部で受信したリモコンコードと前記第１の映像機器を遠隔操作するためのリモコンコードとが、前記コード照合部にて一致しない場合に、前記コード受信部で受信したリモコンコードを映像信号に重畳して前記第２の映像機器へ転送し、前記第２の映像機器は、前記第１の映像機器から転送された映像信号に重畳されたリモコンコードに基づいて所定の動作を実行することを特徴とするリモート・コントロール・システム。
【請求項３】
請求項２に記載のリモート・コントロール・システムにおいて、
前記映像信号に含まれる垂直帰線消去期間に、前記リモコンコードを重畳することを特徴とするリモート・コントロール・システム。
【請求項４】
請求項２に記載のリモート・コントロール・システムにおいて、
前記操作部は、前記第１の映像機器および前記第２の映像機器に対して遠隔操作を行うための操作子を備えたことを特徴とするリモート・コントロール・システム。
【発明の詳細な説明】
【技術分野】
【０００１】
本発明は、テレビ受像機等の主映像機器と、その主映像機器に接続されたＤＶＤレコーダ等の副映像機器を１台のリモート・コントロール装置により遠隔操作するためのリモート・コントロール・システムに関する。
【背景技術】
【０００２】
従来からテレビ受像機、ビデオ機器、ＤＶＤ（Digital Versatile Disk）機器、およびＣＡＴＶ（Cable  Television）チューナ等の映像機器は、選局や音量調整などを行うための操作ボタンを映像機器本体に設けており、この操作ボタンを通じて映像機器を直接操作することを基本としていたが、近年ではそれぞれの映像機器に遠隔から操作するためのリモート・コントロール装置が備えられており、映像機器に関するほとんどの操作は、このリモート・コントロール装置によってなされている。
これらの映像機器は、例えばテレビ受像機を主映像機器とし、ビデオ機器、ＤＶＤ機器、およびＣＡＴＶチューナ等を副映像機器とし、主映像機器に副映像機器が接続されて使用されている。即ち、テレビ受像機には複数の外部機器接続端子が設けられており、各接続端子には、それぞれビデオ機器、ＤＶＤ機器、およびＣＡＴＶチューナ等が接続できるようになっている。
【０００３】
ここで、テレビ受像機の外部機器接続端子にＤＶＤ機器が接続されている場合を例に挙げて説明すると、ＤＶＤ機器により録画されたテレビ映像を再生する場合は、テレビ受像機用のリモート・コントロール装置を用いてリモコンコードを送信し、外部機器接続端子に接続されたＤＶＤ機器からの映像信号を選択する設定に切り替え、次いでＤＶＤ機器用のリモート・コントロール装置を用いてリモコンコードを送信し、録画されたテレビ映像を再生する。
このように、従来の方法では、テレビ受像機を操作するためのテレビ受像機用リモート・コントロール装置と、ＤＶＤ機器を操作するためのＤＶＤ機器用リモート・コントロール装置が必要となり、操作対象の映像機器を変更する度にリモート・コントロール装置を使い分ける必要がある。
【０００４】
しかしながら、主映像機器となるテレビ受像機に接続されるＤＶＤ機器などの副映像機器の数が増えるに連れて、映像機器を制御するためのリモート・コントロール装置の数も増え、それに伴いリモート・コントロール装置の使い分けが煩雑となるため、操作対象の映像機器を誤ることによる誤作動発生率が高くなり、総じて利用者に不便さを感じさせることとなる。
【０００５】
また、映像機器を遠隔操作するために用いられるリモート・コントロール装置のリモコンコード送信方法としては、ＡＭ変調方式を採用した赤外線リモート・コントロール装置が広く使用されている。
この赤外線を送信媒体とした送信方法は、コストが低い、消費電力が少ない、配線が不要などの利点がある一方で、指向性の問題があり、リモート・コントロール装置の視野角の中に、リモコンコードを受信する映像機器の受光部を収めなければ通信が確立せず、利用上の大きな制約条件となる。
【０００６】
下記の特許文献１には、指向性または通信可能距離のうち少なくとも一方において制約のある通信媒体と、指向性および通信可能距離の制約の少ない通信媒体の異なる２種類の通信媒体を用いたリモート・コントロール・システムが記載されている。
しかしながら、本文献に記載されているリモート・コントロール・システムは、操作対象の映像機器を特定するための通信媒体として指向性または通信可能距離のうち少なくとも一方において制約のある通信媒体が用いられており、その特定するための通信を行う際には、送信機であるリモート・コントロール装置の視野角の中に受信機である映像機器の受光部を収めなければ通信が確立しない。
このため、操作対象の映像機器を変更する度にリモート・コントロール装置を使い分ける必要性はないが、通信媒体の指向性の問題を解決できない。
【０００７】
下記の特許文献２には、リモート・コントロール装置とこのリモート・コントロール装置を備えた映像機器と、この映像機器の複数の入力端子に接続された他の映像機器に係るリモート・コントロール・システムを備えたリモート・コントロール装置が記載されており、このリモート・コントロール装置は、複数の入力端子に接続された映像機器の遠隔操作にあたり、操作対象となる映像機器を選択する入力端子選択ボタンを備えている。
しかしながら、本文献に記載されているリモート・コントロール装置は、操作対象となる映像機器を変更する度に、リモート・コントロール装置に備えられた入力端子選択ボタンにて操作対象となる映像機器を選択する必要があるため、リモート・コントロール装置の使い分けによる煩雑さは解決できるが、操作時における煩雑さは解決できない。
【０００８】
下記の特許文献３には、操作対象である映像機器を遠隔操作するためのリモート・コントロール・システムと、このリモート・コントロール・システムによって操作された映像や機能一覧などの情報を表示するための表示手段とを備えたリモート・コントロール装置が記載されている。
しかしながら、本文献に記載されているリモート・コントロール装置は、リモート・コントロール・システムによって操作された映像や機能一覧などの情報を表示するための表示手段を用いることによって、同一のリモート・コントロール装置により、複数の映像機器を操作する場合においても、操作対象の機器が用意に判別できることを目的としたものであって、リモート・コントロール装置の使い分けによる煩雑さを解決できるものではない。
【０００９】
【特許文献１】特開２００６−１１５１９６号公報
【特許文献２】特開２００５−１９８１１５号公報
【特許文献３】特開平１１−６９４６３号公報
【発明の開示】
【発明が解決しようとする課題】
【００１０】
本発明は、以上の問題に鑑み、テレビ受像機などの主映像機器にＤＶＤレコーダなどの副映像機器が接続された場合において、各映像機器ごとにリモート・コントロール装置を使い分けることによる煩雑さを解決し、また、指向性を意識せずに遠隔操作を行うことのできるリモート・コントロール・システムを提供することを課題とする。
【課題を解決するための手段】
【００１１】
本発明に係るリモート・コントロール・システムは、第１の映像機器と、第１の映像機器に接続された第２の映像機器と、第１の映像機器または第２の映像機器を遠隔操作するためのリモート・コントロール装置とを具備しており、第１の映像機器は、リモート・コントロール装置から送信されるリモコンコードを受信するためのコード受信部と、リモート・コントロール装置で第１の映像機器を遠隔操作するためのリモコンコードとコード受信部で受信したリモコンコードとが一致するか否かを照合するコード照合部とを備え、リモート・コントロール装置は、第１または第２の映像機器を遠隔操作するためのリモコンコードの送信を行うコード送信部と、コード送信部からリモコンコードを送信するために必要な操作を行う操作部とを備えている。
そして、第１の映像機器は、コード受信部で受信したリモコンコードと第１の映像機器を遠隔操作するためのリモコンコードとが、コード照合部にて一致しない場合に、コード受信部で受信したリモコンコードを映像信号に重畳して第２の映像機器へ転送し、第２の映像機器は、第１の映像機器から転送された映像信号に重畳されたリモコンコードに基づいて所定の動作を実行する。
【００１２】
このようにすることで、操作対象ではない映像機器に向けてリモコンコードを送信した場合においても、この送信されたリモコンコードは操作対象の映像機器へ自動的に転送されるため、リモコンコードの送信に際して、指向性を意識してリモート・コントロール装置を操作する必要がなく、使い勝手が良くなるとともに、操作対象の映像機器を変更する度に付属されたリモート・コントロール装置を変える必要もないため、リモート・コントロール装置の使い分けによる煩雑さを解消することができる。
【００１３】
本発明のリモート・コントロール・システムにおいて、コード照合部にて一致する結果が得られなかったリモコンコードは、映像信号に含まれる垂直帰線消去期間に重畳される。
【００１４】
このようにすることで、垂直帰線消去期間にデータを重畳するという既存の技術を用いてリモコンコードを転送できるため、新たにリモコンコードの転送方法を考案する必要がなく、コストの削減を図ることができる。
【００１５】
本発明のリモート・コントロール・システムにおけるリモート・コントロール装置に備えられた操作部は、第１の映像機器および第２の映像機器の操作を行う操作子を備えている。
【００１６】
このようにすることで、第１の映像機器または第２の映像機器に備えられたリモート・コントロール装置が有している操作子を一体にできるため、同一のリモコンで第１の映像機器および第２の映像機器を操作することができる。
これにより、操作対象の映像機器を変更する度にリモート・コントロール装置を変える必要がないため、使い分けによる煩雑さが解消され、これに伴い映像機器の操作に必要なリモート・コントロール装置の数も減らすことができるため、コストの削減も可能となる。
【発明の効果】
【００１７】
本発明によれば、操作対象でない映像機器に向けて送信されたリモコンコードは、この映像機器に接続している他の映像機器へ自動的に転送されるため、リモート・コントロール装置の使い分けによる煩雑さを解消でき、また、リモコンコードの送信の際に指向性を考慮する必要がないので使い勝手が向上する。よって、利用者に対して好適なリモート・コントロール・システムを提供することができる。
【発明を実施するための最良の形態】
【００１８】
以下、本発明の実施形態につき、図面を参照しながら説明する。
【００１９】
図１は、本発明に係るリモート・コントロール・システムの全体構成の一例を示した図である。
図中において、１００はテレビジョン放送を受信し、映像を表示するための受信機であるテレビ受像機、２００はテレビ受像機１００に接続されるＳＴＢ（Set Top Box）である。ＳＴＢ２００は、ＤＶＤ（Digital Versatile Disk）メディアに映像コンテンツを記録し再生する機能を有したＤＶＤレコーダや、ケーブルテレビ放送、デジタル放送、ＶＯＤ（Video On Demand）などをテレビ受像機１００で視聴可能な信号へと変換する機能を有した機器からなる。５００はテレビ受像機１００に接続され、テレビジョン放送の電波を受信するためのアンテナ、３００はテレビ受像機１００またはＳＴＢ２００の遠隔操作を行う際に用いられるリモート・コントロール装置である。
【００２０】
図２は、リモート・コントロール・システムのブロック図である。図２では、図１と同一部分または対応する部分に同一符号を付してある。ここでは、ＳＴＢ２００としてＤＶＤレコーダを例に挙げる。
【００２１】
リモート・コントロール装置３００において、３０はテレビ受像機１００またはＤＶＤレコーダ２００を遠隔操作するためのリモコンコードの送信を行うコード送信部、３１はコード送信部３０からリモコンコードを送信するために必要な操作を行う操作部、３２は操作部３１に備えられ、テレビ受像機１００およびＤＶＤレコーダ２００に対して遠隔操作を行うための操作子である。
【００２２】
テレビ受像機１００において、１０はコード送信部３０から送信されるリモコンコードを受信するための第１のコード受信部、１１はテレビ受像機１００の全体の制御を行うマイクロプロセッサ、１２はリモート・コントロール装置３００でテレビ受像機１００を遠隔操作するためのリモコンコードと第１のコード受信部１０で受信したリモコンコードとが一致するか否かを照合する第１のコード照合部、１３は第１のコード照合部で一致したリモコンコードに係るリモート・コントロール・コマンドをマイクロプロセッサ１１にて制御した後、例えば電源の入り切りや選局などのコマンド実行を行う第１のコマンド実行部、１４は映像信号を送受信するための第１の映像信号送受信部、１５はテレビ受像機１００内の各部に電源を供給する電源部、５０はユーザーによってなされた選局に対応した周波数のテレビジョン放送の電波に含まれる放送信号をアンテナ５００を介して受信する第１のチューナ、５１は第１のチューナ５０で受信した放送信号の復調を行う第１の復調部、１６は第１の復調部５１で復調した放送信号に含まれる映像信号の画像処理を行う画像処理部、１７は画像処理部１６にて画像処理を行った映像信号の出力先であるＬＣＤ（Liquid Crystal Display）である。
【００２３】
ＤＶＤレコーダ２００において、２０はコード送信部３０から送信されるリモコンコードを受信するための第２のコード受信部、２１はＤＶＤレコーダ２００の全体の制御を行うマイクロプロセッサ、２２はリモート・コントロール装置３００でＤＶＤレコーダ２００を遠隔操作するためのリモコンコードと第２のコード受信部２０で受信したリモコンコードとが一致するか否かを照合する第２のコード照合部、２３は第２のコード照合部で一致したリモコンコードに係るリモート・コントロール・コマンドをマイクロプロセッサ２１にて制御した後、例えば電源の入り切りやＤＶＤの再生などのコマンド実行を行う第２のコマンド実行部、２４は映像信号を送受信するための第２の映像信号送受信部、２５はＤＶＤレコーダ２００内の各部に電源を供給する電源部、２６はＤＶＤメディアに対し映像や音声などの記録または再生を行う映像記録再生部、５２はＤＶＤレコーダ２００にアンテナ５００を接続した場合において、ユーザーによってなされた選局に対応した周波数のテレビジョン放送の電波に含まれる放送信号をアンテナ５００を介して受信する第２のチューナ、５３は第２のチューナ５２で受信した放送信号の復調を行う第２の復調部である。
【００２４】
ここで、テレビ受像機１００にてテレビジョン放送の視聴を行うに際し、アンテナ５００を介してテレビ受像機１００に備えられた第１のチューナ５０でテレビジョン放送の放送信号を受信し、第１の復調部５１で受信した放送信号の復調を行う場合においては、ＤＶＤレコーダ２００側の第２のチューナ５２および第２の復調部５３は省略可能である。また、アンテナ５００を介してＤＶＤレコーダ２００に備えられた第２のチューナ５２でテレビジョン放送の放送信号を受信し、第２の復調部５３で受信した放送信号の復調を行い、テレビ受像機１００に備えられたＬＣＤ１７にて視聴する場合においては、テレビ受像機１００側の第１のチューナ５０および第１の復調部５１は省略可能である。
【００２５】
図３は、本発明におけるリモート・コントロール装置の実施形態の一例を示した図である。図３では、図２と同一部分または対応する部分に同一符号を付してある。
図中において、３００Ａは２つの映像機器の操作が可能なリモート・コントロール装置であって、操作部３１に２つの映像機器の遠隔操作を行う際に必要な操作子３２ａ，３２ｂが映像機器別に備えられている。操作子３２ａは例えばテレビ受像機用の操作子であり、操作子３２ｂは例えばＤＶＤレコーダ用の操作子である。
【００２６】
図４は、リモート・コントロール装置の他の実施形態を示した図である。３００Ｂはテレビ受像機とこのテレビ受像機に備えられた２つの外部機器接続端子に接続されている２つの映像機器の操作が可能なリモート・コントロール装置であって、操作部３１には、操作対象の映像機器を切り替えるための操作子３２ｃと、操作対象の映像機器の遠隔操作を行う際に必要な操作子３２ｄとが備えられている。
【００２７】
図５は、図２のリモート・コントロール・システムにおいて、リモート・コントロール装置３００によるリモコンコードの送信から、このリモコンコードに係るリモート・コントロール・コマンドの実行までの一連の動作を示したフローチャートである。
【００２８】
ステップＳ１では、リモート・コントロール装置３００に備えられたコード送信部３０の視野角の中にテレビ受像機１００に備えられた受光部（第１のコード受信部１０）を収め、ユーザーが希望する遠隔操作を行うためのリモート・コントロール・コマンドが登録された操作子３２を操作する。
【００２９】
ステップＳ２では、ステップＳ１で選択したリモート・コントロール・コマンドに係るリモコンコードが、操作子３２の操作によってコード送信部３０より送信される。
【００３０】
ステップＳ３では、テレビ受像機１００に備えられた第１のコード受信部１０にて、コード送信部３０より送信されたリモコンコードを受信する。
【００３１】
ステップＳ４では、第１のコード照合部１２にて、リモート・コントロール装置３００でテレビ受像機１００を遠隔操作するためのリモコンコードと、第１のコード受信部１０で受信したリモコンコードとが一致するか否かを照合する。前者のリモコンコードは、第１のコード照合部１２にあらかじめ登録（記憶）されている。
【００３２】
ステップＳ５では、第１のコード照合部１２による照合の結果、リモコンコードが一致しておれば（ステップＳ５：ＹＥＳ）、ステップＳ６へ進み、リモコンコードが一致してなければ（ステップＳ５：ＮＯ）、ステップＳ６へ進まず、ステップＳ７以下へ進む。
【００３３】
ステップＳ６では、ステップＳ５で一致する結果が得られたリモコンコードに係るリモート・コントロール・コマンドを第１のコマンド実行部１３にて実行する。これにより、テレビ受像機１００において、例えば電源の入り切りや、選局などの所定の動作が行行われる。
【００３４】
ステップＳ７では、ステップＳ５で一致する結果が得られなかったリモコンコード、すなわち第１のコード受信部１０で受信したリモコンコードを、マイクロプロセッサ１１の制御により、映像信号（コンポジットビデオ信号）に含まれる垂直帰線消去期間に重畳する。これにより、リモコンコードが重畳された映像信号が生成される。
【００３５】
ステップＳ８では、ステップＳ７においてリモコンコードを重畳した映像信号を、第１の映像信号送受信部１４よりＤＶＤレコーダ２００へ転送する。
【００３６】
ステップＳ９では、ステップＳ８において第１の映像信号送受信部１４より転送された映像信号を、ＤＶＤレコーダ２００の第２の映像信号送受信部２４にて受信する。
【００３７】
ステップＳ１０では、ステップＳ９において受信された映像信号の垂直帰線消去期間に重畳されているリモコンコードが、リモート・コントロール装置３００でＤＶＤレコーダ２００を遠隔操作するためのリモコンコードと一致するか否かを、第２のコード照合部２２にて照合する。後者のリモコンコードは、第２のコード照合部２２にあらかじめ登録（記憶）されている。
【００３８】
ステップＳ１１では、第２のコード照合部２２による照合の結果、リモコンコードが一致しておれば（ステップＳ１１：ＹＥＳ）、ステップＳ１２へ進み、リモコンコードが一致してなければ（ステップＳ１１：ＮＯ）、第２のコマンド実行部２３にてリモート・コントロール・コマンドを実行することなく終了する。
【００３９】
ステップＳ１２では、ステップＳ１１で一致する結果が得られたリモコンコードに係るリモート・コントロール・コマンドを第２のコマンド実行部２３にて実行する。これにより、ＤＶＤレコーダ２００において、例えば電源の入り切り、記録再生、予約録画などの所定の動作が行われる。
【００４０】
以上においては、リモート・コントロール装置３００のコード送信部３０から送信されたリモコンコードがテレビ受像機１００に備えられた第１のコード受信部１０にて受信された場合について述べたが、リモコンコードがＤＶＤレコーダ２００に備えられた第２のコード受信部２０にて受信された場合においても、上述のフローチャートと同様の一連の動作が行われる。
【００４１】
このように、上述した実施形態においては、操作対象ではない映像機器にリモート・コントロール装置３００を向けてリモコンコードを送信した場合においても、送信したリモコンコードは操作対象ではない映像機器から操作対象である映像機器へ自動的に転送されるリモート・コントロール・システムとなっているため、ユーザーがテレビ受像機１００の遠隔操作を行う場合、リモート・コントロール装置３００に備えられた操作子３２の操作によりコード送信部３０からリモコンコードを送信するにあたって、必ずしもテレビ受像機１００の第１のコード受信部１０に向けて送信する必要はなく、ＤＶＤレコーダ２００の第２のコード受信部２０に向けて送信してもよい。また、ＤＶＤレコーダ２００の遠隔操作を行う場合においても、必ずしもＤＶＤレコーダ２００の第２のコード受信部２０に向けて送信する必要はなく、テレビ受像機１００の第１のコード受信部１０に向けて送信してもよい。
【００４２】
したがって、リモート・コントロール装置３００を用いて遠隔操作を行う度に操作対象である映像機器が備えられている場所を確認することなくリモート・コントロール装置３００による遠隔操作を実施することができる。このため、指向性を意識せずにリモート・コントロール装置３００を操作することができ、使い勝手が向上する。
【００４３】
また、ユーザーは、主映像機器であるテレビ受像機１００にＤＶＤレコーダ２００などの副映像機器が複数台接続される場合においても、１つのリモート・コントロール装置３００で、テレビ受像機１００とこのテレビ受像機１００に接続された複数の副映像機器を遠隔操作することができ、各映像機器ごとにリモート・コントロール装置を使い分けることによる煩雑さを解決することができる。
【００４４】
上述した実施形態においては、テレビ受像機１００とＤＶＤレコーダ２００の双方にコード受信部とコード照合部とを設けたが、いずれか一方のみにコード受信部とコード照合部とを設けてもよい。
【００４５】
また、上述した実施形態においては、テレビ受像機１００へＳＴＢとしてＤＶＤレコーダ２００を接続した例を示したが、ケーブルテレビ放送やデジタル放送、ＶＯＤ（Video On Demand）などをテレビ受像機１００で視聴可能な信号へと変換する機能を有したＳＴＢを接続してもよい。
【００４６】
また、上述した実施形態においては、コンポジットビデオ信号にリモコンコードを重畳した例を挙げたが、これに限らず、例えばコンポーネントビデオ信号にリモコンコードを重畳してもよい。
【００４７】
また、上述したリモート・コントロール装置によってリモコンコードを送信する際に用いられる通信媒体としては、広く用いられている赤外線であることを問わず、本発明のリモート・コントロール・システムの実施が可能な赤外線以外の通信媒体を用いてもよい。
【００４８】
さらに、上述した図３および図４におけるリモート・コントロール装置に関し、リモート・コントロール装置３００Ａおよびリモート・コントロール装置３００Ｂの特徴を兼ね備えたリモート・コントロール装置とすることにより、より多くの映像機器を１つのリモート・コントロール装置にて操作することも可能である。
【図面の簡単な説明】
【００４９】
【図１】本発明に係るリモート・コントロール・システムの全体構成の一例を示した図である。
【図２】リモート・コントロール・システムのブロック図である。
【図３】本発明におけるリモート・コントロール装置の実施形態の一例を示した図である。
【図４】リモート・コントロール装置の他の実施形態を示した図である。
【図５】リモート・コントロール・システムにおける一連の動作を示したフローチャートである。
【符号の説明】
【００５０】
１０    第１のコード受信部
１１，２１  マイクロプロセッサ
１２    第１のコード照合部
１３    第１のコマンド実行部
１４    第１の映像信号送受信部
２０    第２のコード受信部
２２    第２のコード照合部
２３    第２のコマンド実行部
２４    第２の映像信号送受信部
３０    コード送信部
３１    操作部
３２    操作子
１００  テレビ受像機
２００  ＤＶＤレコーダ（ＳＴＢ）
３００  リモート・コントロール装置
５００  アンテナ  
【図１】
2008244578.tif 000003
【図２】
2008244578.tif 000004
【図３】
2008244578.tif 000005
【図４】
2008244578.tif 000006
【図５】
2008244578.tif 000007